(57)【要約】      （修正有）【課題】ＩＣカードの誤った着脱のときでも、誤挿入防止用可動板の姿勢がその幅方向に傾くことを回避できる、スライド式の誤挿入防止用可動板を有するＩＣカード用コネクタ。【解決手段】誤挿入防止用可動板１４は略Ｔ字状で、カバー部材１０の矩形状のスリット１０Ｆに可動可能に挿入されている。このため不所望に傾いた状態となることがない。【選択図】図２
2007141794.tif 000002
【特許請求の範囲】
【請求項１】
形状が互いに異なる第１および第２のＩＣカードのうちの１つのＩＣカードが選択的に通過可能なカードスロットを有するとともに、該第１および第２のＩＣカードの電極部を電気的に接続する複数のコンタクト端子群を有し、該第１または第２のＩＣカードを収容するＩＣカード収容部と、
前記ＩＣカード収容部に、前記ＩＣカードの着脱方向に沿って摺動しつつ昇降動可能に設けられ、前記第１のＩＣカードが前記カードスロットを通じて前記ＩＣカード収容部に装着されるとき、該第１のＩＣカードの進行端が一方のコンタクト端子群に向かうように該ＩＣカードの進行端を誘導する第１の位置の状態をとり、前記第２のＩＣカードが前記カードスロットを通じて該ＩＣカード収容部に装着されるとき、該第２のＩＣカードの進行端が他方のコンタクト端子群に向かうように誘導する第２の位置の状態をとる誤挿入防止用可動部材と、
前記第１および第２のＩＣカードごとの着脱に応じて前記誤挿入防止用可動部材に前記第１の位置または第２の位置をとらせる位置制御機構部と、を備え、
前記誤挿入防止用可動部材は、前記ＩＣカードの幅方向に沿った該誤挿入防止用可動部材の移動を規制するように前記ＩＣカード収容部の周縁に形成される開口部に挿入されて案内される案内部を有することを特徴とするＩＣカードコネクタ。
【請求項２】
前記開口部は、前記ＩＣカード収容部の一部を構成するカバー部材に形成されることを特徴とする請求項１記載のＩＣカードコネクタ。
【発明の詳細な説明】
【技術分野】
【０００１】
本発明は、スライド式の誤挿入防止用可動板を有し、大きさの異なる二種類のＩＣカードのうちの一方を選択的に装着することができるＩＣカード用コネクタに関する。
【背景技術】
【０００２】
互いに形状の異なる複数のＩＣカードのうちのいずれか一枚のＩＣカードを一つの電子機器内に装着するためにＩＣカード用コネクタにおいては、例えば、特許文献１にも示されるように、各ＩＣカードが着脱される共通のカードスロットを有する複合型のカード収容部を共通の平面上に並設したもの、あるいは、複数のカード収容部を鉛直方向に一部重複するように積み重ねた状態で備えるものが提案されている。
【０００３】
そのようなＩＣカード用コネクタは、第１および第２のＩＣカードのうち大きさの小さい方の第１のＩＣカードが収容される第１のカード用収容部がカードスロットに近い位置に形成される場合、第２のカード用収容部が、第１のカード用収容部よりもカードスロットから離隔した位置に形成されている。また、第１のＩＣカードが、第２のカード用収容部へ侵入することを阻止し、第１のカード用収容部に誘導する誤挿入防止用可動板が、第１および第２のＩＣカードの着脱方向に沿って移動可能に、かつ、昇降動可能に設けられている。
【０００４】
そのような誤挿入防止用可動板は、カードスロットの両端にそれぞれ設けられる一対のロック／アンロック機構により制御される。その際、一対のロック／アンロック機構は、第１のＩＣカードの横幅よりも大であって、第２のＩＣカードの横幅よりも小なる相互間隔で配置されているので第１のＩＣカードがカードスロットを通過するとき、一対のロック／アンロック機構は、ロック状態に維持される。従って、第１のＩＣカードは、誤挿入防止用可動板により第２のカード用収容部への侵入路が遮断され、誤挿入防止用可動板の下方に位置する第１のカード用収容部に誘導されることとなる。
【０００５】
一方、第２のＩＣカードがカードスロットを通じて第２のカード用収容部へ挿入される場合、第２のＩＣカードの進行方向側の両側端部が、それぞれ、一対のロック／アンロック機構のロック部材に係合され、ロック部材をアンロック状態とすることにより、誤挿入防止用可動板は、カードスロットから離隔する方向に移動せしめられるとともに、上昇せしめられる。これにより、第２のカード収容部への侵入路が開放され、第２のＩＣカードが誤挿入防止用可動板の下方を通じて第２のカード用収容部に挿入されることとなる。
【０００６】
【特許文献１】特開２００４−３１１４１６号公報
【発明の開示】
【発明が解決しようとする課題】
【０００７】
上述のようなスライド式の誤挿入防止用可動板を備えるＩＣカード用コネクタにおいて、共通のカードスロットに挿入された第１のＩＣカードの進行方向側の端部が誤って上述の一対のロック／アンロック機構のうちの一方のロック部材に係合することにより、上述の一対のロック／アンロック機構のうちの一方のロック部材がアンロック状態とされる場合がある。
【０００８】
このように一方のロック部材だけがアンロック状態とされた場合、誤挿入防止用可動板の両側部のうちの一方側だけが第１のＩＣカードの端部により押圧され移動せしめられるので誤挿入防止用可動板の姿勢が第１のＩＣカードの横幅方向に傾き、従って、誤挿入防止用可動板の摺動部が他の部品に干渉し、故障の原因となる虞がある。
【０００９】
以上の問題点を考慮し、スライド式の誤挿入防止用可動板を有し、大きさの異なる二種類のＩＣカードうちの一方を選択的に装着することができるＩＣカード用コネクタであって、ＩＣカードの誤った着脱のときでも、誤挿入防止用可動板の姿勢がその幅方向に傾くことを回避できるＩＣカード用コネクタを提供することを目的とする。
【課題を解決するための手段】
【００１０】
上述の目的を達成するために、本発明に係るＩＣカード用コネクタは、形状が互いに異なる第１および第２のＩＣカードのうちの１つのＩＣカードが選択的に通過可能なカードスロットを有するとともに、第１および第２のＩＣカードの電極部を電気的に接続する複数のコンタクト端子群を有し、第１または第２のＩＣカードを収容するＩＣカード収容部と、ＩＣカード収容部に、ＩＣカードの着脱方向に沿って摺動しつつ昇降動可能に設けられ、第１のＩＣカードがカードスロットを通じてＩＣカード収容部に装着されるとき、第１のＩＣカードの進行端が一方のコンタクト端子群に向かうようにＩＣカードの進行端を誘導する第１の位置の状態をとり、第２のＩＣカードがカードスロットを通じてＩＣカード収容部に装着されるとき、第２のＩＣカードの進行端が他方のコンタクト端子群に向かうように誘導する第２の位置の状態をとる誤挿入防止用可動部材と、第１および第２のＩＣカードごとの着脱に応じて誤挿入防止用可動部材に第１の位置または第２の位置をとらせる位置制御機構部と、を備え、誤挿入防止用可動部材は、ＩＣカードの幅方向に沿った誤挿入防止用可動部材の移動を規制するようにＩＣカード収容部の周縁に形成される開口部に挿入されて案内される案内部を有することを特徴とする。
【発明の効果】
【００１１】
以上の説明から明らかなように、本発明に係るＩＣカード用コネクタによれば、誤挿入防止用可動部材は、ＩＣカードの幅方向に沿った誤挿入防止用可動部材の移動を規制するようにＩＣカード収容部の周縁に形成される開口部に挿入されて案内される案内部を有するのでＩＣカードの誤った着脱のときでも、誤挿入防止用可動板の姿勢がその幅方向に傾くことを回避できる。
【発明を実施するための最良の形態】
【００１２】
図２は、本発明に係るＩＣカード用コネクタの一例の外観を示す。
【００１３】
斯かるＩＣカード用コネクタは、所定の電子機器、例えば、携帯電話機、電話機、ＰＤＡ、カメラ等の内部に配されるものとされる。
【００１４】
図２に示されるＩＣカード用コネクタは、例えば、そのカード収容部に図２または図４に示される矢印の示す方向に沿って着脱可能に収容されるＩＣカードとしてのメモリカード、例えば、ＭＭＣカード（multi media card）（商標）ＭＣ、または、ｍｉｎｉＳＤカード（商標）ＭＳＣのうちのいずれかの電極部と所定の電子機器の内部に配される信号入出力用等の基板の接続端子部とを電気的に接続するものとされる。
【００１５】
ＭＭＣカードＭＣは、例えば、厚さ約１．４ｍｍ、縦横の寸法がそれぞれ約３２ｍｍ、約２４ｍｍに設定されている。また、ｍｉｎｉＳＤカードＭＳＣは、例えば、厚さ約１．４ｍｍ、縦横の寸法がそれぞれ約２１．５ｍｍ、約２０ｍｍに設定されている。
【００１６】
ＩＣカード用コネクタは、収容されるＭＭＣカードＭＣまたはｍｉｎｉＳＤカードＭＳＣに対する電気的接続を行う複数のコンタクト端子等が配列されるベース部材１２と、ベース部材１２と協働して各カードの複合の収容部を形成するカバー部材１０とを含んで構成されている。
【００１７】
門形状断面形状を有するカバー部材１０は、薄板の金属材料で形成されている。カバー部材１０の一方の側面部には、図２に示されるように、後述するベース部材１２の爪部がそれぞれ、係合される係合孔１０ｅ，１０ｆ，１０ｇおよび１０ｈがその爪部に対応して形成されている。カバー部材１０の他方の側面部には、後述するベース部材１２の爪部がそれぞれ、係合される複数の係合孔（不図示）が形成されている。
【００１８】
従って、カバー部材１０は、その各係合孔１０ｅ〜１０ｈ等と、ベース部材１２の各爪部とがそれぞれ係合されることにより、ベース部材１２に対し固定されることとなる。
【００１９】
また、図２に示されるように、カバー部材１０の両側面部を連結する上面部における中央部には、開口部１０ａが形成されている。開口部１０ａの周縁には、後述する誤挿入防止用可動板を下方に向けて付勢する板状の弾性片１０Ｄの一端が連結されている。弾性片１０Ｄの他端は、開口部１０ａ内に突出している。また、開口部１０ａに隣接して複数の開口部１０ｂ、および１０ｃが所定の間隔をもって形成されている。
【００２０】
その上面部における一方の側面部側には、後述するイジェクト機構２０におけるカムレバーを移動可能に支持する押さえバネ１０Ｅが設けられている。弾性を有する押さえバネ１０Ｅの基端部は、カバー部材１０に一体に形成されている。押さえバネ１０Ｅは、例えば、カバー部材１０の一部がプレス加工によりその内側に向けて打ち抜かれて形成されている。従って、カバー部材１０における押さえバネ１０Ｅに対応する部分の周囲には、開口が形成されている。
【００２１】
ベース部材１２におけるカード収容部２５は、図５および図６に示されるように、上方、および後述するコンタクト端子固定部側とは反対側の端部が、開口している。カード収容部２５は、その上方側部分に、ＭＭＣカードＭＣが収容され、その下方側部分にその一部重複してｍｉｎｉＳＤカードＭＳＣが収容されるような複合的な収容部とされる。
【００２２】
その開口端部は、図１４に拡大されて示されるように、挿入されるＭＭＣカードＭＣおよびｍｉｎｉＳＤカードＭＳＣの形状に対応した階段形状の横断面を有している。図１４において、その開口端部は、略長方形横断面を有しｍｉｎｉＳＤカードＳＭＣが通過する第１の案内部１２Ｓａと、大小の略長方形を重ねたような横断面を有しＳＤカードＭＣが通過する第２の案内部１２Ｓｂとにより形成されている。
【００２３】
第２の案内部１２Ｓｂの横幅は、挿入されるＳＤカードＭＣの両側部に対し所定の隙間を形成するようにその下方に形成される第１の案内部１２Ｓａの横幅よりも大に設定されている。また、第１の案内部１２Ｓａの横幅は、挿入されるｍｉｎｉＳＤカードＳＭＣの両側部に対し所定の隙間を形成するように設定されている。
【００２４】
これにより、ＭＭＣカードＭＣおよびｍｉｎｉＳＤカードＳＭＣの進行方向側の端部は、それぞれ、上方側に、または、下方側に向けて第２の案内部１２Ｓｂおよび第１の案内部１２Ｓａに案内されて通過することとなる。
【００２５】
従って、上述のカバー部材１０によりベース部材１２が覆われることにより、カード収容部２５の一方の端部にＭＭＣカードＭＣおよびｍｉｎｉＳＤカードＭＳＣのうちの一方が選択的に通過される共通のカードスロットが形成されることとなる。
【００２６】
ベース部材１２は、例えば、成形樹脂材料で一体に成形されている。ベース部材１２は、図６に示されるように、ＭＭＣカードＭＣおよびｍｉｎｉＳＤカードＭＳＣが着脱可能に収容されるカード収容部２５の両側部をそれぞれ形成する側壁１２ＷＲ、１２ＷＬと、ｍｉｎｉＳＤカードＭＳＣ用のコンタクト端子１６ａｉ（ｉ＝１〜１１）、ＭＭＣカードＭＣ用のコンタクト端子１８ａｉ（ｉ＝１〜１３）が配されるコンタクト端子固定壁部１２ＷＦとを含んで構成されている。
【００２７】
側壁１２ＷＬの外面には、図６に示されるように、それぞれ、爪部１２ｎｅ、１２ｎｆ、１２ｎｇ、および１２ｎｈが形成されている。側壁１２ＷＲの外面にも、図示が省略されるが、同様な爪部が複数箇所に形成されている。
【００２８】
例えば、複数のコンタクト端子１８ａｉは、図５に示されるように、所定の相互間隔で側壁１２ＷＲ，１２ＷＬに対して略平行に、カード収容部２５におけるコンタクト端子固定壁部１２ＷＦに近い部分に配列されている。また、複数のコンタクト端子１６ａｉは、所定の相互間隔で側壁１２ＷＲ，１２ＷＬに対して略平行に、カード収容部２５におけるカードスロットに近い位置に配列されている。
【００２９】
コンタクト端子１８ａｉは、弾性を有しＭＭＣカードＭＣのコンタクトパッドに当接し電気的に接続される接点部と、配線基板（不図示）の電極部に半田付け固定され電気的に接続される半田付端子部と、その接点部と半田付端子部とを相互に連結し、ベース部材１２に固定される固定部とを含んで構成されている。コンタクト端子１８ａｉは、薄板金属材料、例えば、バネ用燐青銅で作られる。コンタクト端子１８ａｉの固定部は、図示が省略されるが、コンタクト端子固定壁部１２ＷＦに形成される溝に、コンタクト端子固定壁部１２ＷＦに形成される透孔を通じてメモリカード１６の挿入方向とは反対方向の側から圧入されることにより、ベース部材１２に固定されている。
【００３０】
コンタクト端子１６ａｉは、弾性を有しｍｉｎｉＳＤカードＭＳＣのコンタクトパッドに当接し電気的に接続される接点部と、上述の配線基板の電極部に半田付け固定され電気的に接続される半田付端子部と、その接点部と半田付端子部とを相互に連結し、ベース部材１２に固定される固定部とを含んで構成されている。コンタクト端子１６ａｉは、薄板金属材料、例えば、バネ用燐青銅で作られる。コンタクト端子１６ａｉの固定部は、図５に示されるように、カード収容部２５の底部に形成される溝に、ｍｉｎｉＳＤカードＭＳＣの挿入方向側から圧入されることにより、ベース部材１２に固定されている。
【００３１】
また、コンタクト端子１８ａｉおよび１６ａｉの半田付端子部は、それぞれ、コンタクト端子固定壁部１２ＷＦの孔を通じて外部に向けて突出している。
【００３２】
コンタクト端子固定壁部１２ＷＦの上端の略中央部には、図８に拡大されて示されるように、カバー部材１０の折曲部が挿入され係合される溝１２Ｒが所定の幅で形成されている。カバー部材１０の折曲部のスリット１０Ｆには、後述する誤挿入防止用可動板１４のガイド部１４Ｇが移動可能に挿入され突出している。
【００３３】
側壁１２ＷＲの内側部分には、図６に示されるように、ＭＭＣカードＭＣをカード収容部２５に保持するとともに、カード収容部２５からＭＭＣカードＭＣを選択的に排出するイジェクト機構が設けられている。
【００３４】
イジェクト機構は、ベース部材１２に対し移動可能に支持され、ＭＭＣカードＭＣを選択的に保持するイジェクタ部材と、ベース部材１２のコンタクト端子固定壁部１２ＷＦに隣接する壁およびイジェクタ部材相互間に介装され、イジェクタ部材をＭＭＣカードＭＣの排出方向に付勢するコイルスプリングと、ＭＭＣカードＭＣの着脱操作に応じてイジェクタ部材を選択的にベース部材１２に対し保持または解放する制御を行うイジェクト部材制御部と、を含んで構成されている。
【００３５】
イジェクト部材制御部は、特開２００４−３１１４１６号公報にも示されるようなイジェクタ部材における側壁１２ＷＲ側に形成された略ハート形状のカム要素（ハートカム）と、ハートカムの周囲に形成された複数の段差部からなるレバー案内溝と、一方の端部が側壁１２ＷＲの孔に連結され、他方の端部がレバー案内溝に沿って摺動せしめられる門形状のカムレバーと、上述のカバー部材１０の押えバネ１０Ｅ（図２参照）とを含んで構成されている。
【００３６】
押えバネ１０Ｅは、カムレバーの屈曲された先端をレバー案内溝の案内面に対し摺接するように付勢するものとされる。これにより、カムレバーの一端部が、イジェクト部材の動作に追従してレバー案内溝を構成する各案内溝を順次、経由して案内され、ハートカムに形成されるカム面に一旦、保持されることによって、ＭＭＣカードＭＣを伴うイジェクタ部材がカード収容部２５内に保持されることとなる。そして、ＭＭＣカードＭＣのさらなる押し込み操作により、そのカムレバーの一端部が、カム面から離隔されるとき、ＭＭＣカードＭＣを伴うイジェクタ部材がコイルスプリングの付勢力によりカード排出方向に移動せしめられる。
【００３７】
さらに、カード収容部２５におけるカバー部材１０と上述のコンタクト端子１８ａｉおよび１６ａｉとの間には、カード誤挿入防止機構が設けられている。
【００３８】
カード誤挿入防止機構は、カバー部材１０の真下に固定され、ロック部材２２Ａおよび２２Ｂを有するロック部材支持体２２と、ロック部材支持体２２の両側面部の内側にそれぞれカードの着脱方向に沿って移動可能に配され、一端が後述するカード誤挿入防止用可動板１４に連結される一対の可動板駆動部材２６と、ｍｉｎｉＳＤカードＭＳＣの上方の部屋への侵入を阻止するカード誤挿入防止用可動板１４と、可動板駆動部材２６を初期位置に戻すように付勢するリターンスプリング２４とを主な要素として含んで構成されている。
【００３９】
ロック部材支持体２２は、図６および図７に示されるように、略中央部に開口部２２ａを有している。開口部２２ａの周縁における２箇所には、それぞれ、ロック部材２２Ａ，２２Ｂが形成されている。ロック部材２２Ａの一端は、ロック部材支持体２２に弾性変位可能に結合されている。ロック部材２２Ａの他端は、図示が省略される可動板駆動部材２６の突起部に係合されている。
【００４０】
ロック部材２２Ｂの一端は、図９に拡大されて示されるように、ロック部材支持体２２に弾性変位可能に結合されている。ロック部材２２Ｂの他端は、鉤状の係止部２２ｂを有している。係止部２２ｂは、可動板駆動部材２６の突起片２６ｂに選択的に係合するものとされる。これにより、可動板駆動部材２６におけるカードの挿入方向に沿った移動が規制される、即ち、ロック状態とされる。また、係止部２２ｂは、挿入されたＭＭＣカードＭＣの端部により上方に向けて押し上げられる場合、可動板駆動部材２６の突起片２６ｂに対し非係合状態とされるので可動板駆動部材２６が解放され移動可能となり、アンロック状態とされる。
【００４１】
板状の可動板駆動部材２６は、ロック部材２２Ａ，２２Ｂに向けて突出する突起片２６ｂと、ロック部材支持体２２の側面に形成される長孔２２ｄを介して突出するスプリング受け２６ａとを一端側に有している。また、可動板駆動部材２６の他端側には、図示が省略されるが、後述するカード誤挿入防止用可動板１４の突起片１４ｃが挿入され連結される長孔を有する端部が形成されている。これにより、可動板駆動部材２６がＭＭＣカードＭＣの端部によりリターンスプリング２４の付勢力に抗して押圧され移動せしめられることにより、カード誤挿入防止用可動板１４がカード挿入方向に沿って移動せしめられることとなる。
【００４２】
スプリング受け２６ａには、リターンスプリング２４の一端が係合されている。リターンスプリング２４の他端は、側壁１２ＷＬの段部に係合されている。これにより、ＭＭＣカードＭＣが排出される場合、可動板駆動部材２６がカード誤挿入防止用可動板１４とともにリターンスプリング２４の付勢力により初期の位置に戻されることとなる。
【００４３】
カード誤挿入防止用可動板１４は、図６および図７に示されるように、ロック部材支持体２２の真下の位置に移動可能に配されている。
【００４４】
略Ｔ字状のカード誤挿入防止用可動板１４は、図１に示されるように、可動板駆動部材２６がロック状態のとき、ｍｉｎｉＳＤカードＭＳＣの進行を下方に向けて導くカード誘導部１４Ｄと、カード誘導部１４Ｄの端に略垂直に交わるように連結されカード誤挿入防止用可動板１４を案内する案内部１４Ｇとを含んで構成されている。
【００４５】
カード誘導部１４Ｄの両側面部には、図１および図５に示されるように、ロック部材支持体２２の各案内溝２２Ｇにそれぞれ係合される突起片１４ｂ、１４ｃが所定の間隔で形成されている。また、カード誘導部１４Ｄの長手方向の一方の端部には、各突起片１４ｃに隣接して突起片１４ａが略平行に一対形成されている。
【００４６】
平板状の案内部１４Ｇは、カード誘導部１４Ｄの略中央部から長手方向に沿って一方側に偏倚した位置に連結されている。案内部１４Ｇは、その中央部に長孔１４ｇを有している。案内部１４Ｇの一端は、図８に示されるように、カバー部材１０の矩形状のスリット１０Ｆに移動可能に挿入されている。これにより、カード誤挿入防止用可動板１４は、スリット１０Ｆに案内されながら移動せしめられるので移動中、不所望に傾いた状態となる虞がない。
【００４７】
斯かる構成において、ＭＭＣカードＭＣがカード収容部２５に装着される場合、図１０および図１２に示されるように、カードスロットを通過するＭＭＣカードＭＣの先端部により、ロック部材２２Ａおよび２２Ｂの係止片２２ｂが押圧され、各可動板駆動部材２６がアンロック状態とされるとき、各可動板駆動部材２６がカード収容部２５内に向かってリターンスプリング２４の付勢力に抗して移動せしめられる。これにより、可動板駆動部材２６の長孔に連結される突起片１４ｃを有するカード誤挿入防止用可動板１４は、その突起片１４ｂが案内溝２２Ｇに係合され、また、突起片１４ｃが長孔を介して案内溝２２Ｇに係合され、摺動された後上昇せしめられることにより、カバー部材１０の内面に当接し、また、図１１に示されるように、ＭＭＣカードＭＣがカード誤挿入防止用可動板１４の真下を通過しつつ上述のイジェクト部材により所定位置に保持されることとなる。一方、ＭＭＣカードＭＣがカード収容部２５から取り出される場合、ＭＭＣカードＭＣがさらに若干押し込まれることにより、イジェクト機構のコイルスプリングの付勢力により、イジェクト部材とともにＭＭＣカードＭＣが排出方向に移動せしめられるとともに、カード誤挿入防止用可動板１４が下降し始め、リターンスプリング２４の付勢力により初期位置に戻される。
【００４８】
ｍｉｎｉＳＤカードＭＳＣがカード収容部２５の正規の位置に装着される場合、各可動板駆動部材２６がロック状態とされるので挿入されたｍｉｎｉＳＤカードＭＳＣの先端が、カード誤挿入防止用可動板１４の誘導部１４Ｄの端部でその真下に向けて規制され、正規の下方の部位の導入されることとなる。
【００４９】
一方、図１３に示されるように、ｍｉｎｉＳＤカードＭＳＣがカード収容部２５における上部側に誤って挿入され、ロック部材２２Ａまたは２２Ｂの係止部２２ｂが押圧され、複数の可動板駆動部材２６のうちの一方だけがアンロック状態とされる。この場合、ｍｉｎｉＳＤカードＭＳＣがカード誤挿入防止用可動板１４を押圧するように強引にさらに押し込まれたときであっても、カード誤挿入防止用可動板１４は、その幅方向の姿勢がその案内部１４Ｇの端部により規制されているのでその幅方向に傾くことがなく、従って、カード誤挿入防止用可動板１４の側面部が対向するロック部材支持体２２の側面部に干渉し故障の原因となる虞がない。
【図面の簡単な説明】
【００５０】
【図１】本発明に係るＩＣカード用コネクタの一例において用いられるカード誤挿入防止用可動板の外観を示す斜視図である。
【図２】本発明に係るＩＣカード用コネクタの一例の外観を示す斜視図である。
【図３】図２に示される例における平面図である。
【図４】図２に示される例における側面図である。
【図５】図２に示される例における縦断面図である。
【図６】図２に示される例において、カバー部材を外した状態を示す斜視図である。
【図７】図６に示される状態を示す平面図である。
【図８】図２に示される例における一部を拡大して示す拡大斜視図である。
【図９】図６に示される状態で一部を拡大して示す拡大斜視図である。
【図１０】図２に示される例における動作説明に供される平面図である。
【図１１】図２に示される例における動作説明に供される平面図である。
【図１２】図１０に示される平面図における縦断面図である。
【図１３】図２に示される例における動作説明に供される平面図である。
【図１４】図２に示される例における正面図である。
【符号の説明】
【００５１】
１０    カバー部材
１０Ｆ    スリット
１２    ベース部材
１４    誤挿入防止用可動板
１６ａｉ，１８ａｉ    コンタクト端子
２２    ロック部材支持体
２４    リターンスプリング
２５    収容部
２６    可動板駆動部材
【図１】
2007141794.tif 000003
【図２】
2007141794.tif 000004
【図３】
2007141794.tif 000005
【図４】
2007141794.tif 000006
【図５】
2007141794.tif 000007
【図６】
2007141794.tif 000008
【図７】
2007141794.tif 000009
【図８】
2007141794.tif 000010
【図９】
2007141794.tif 000011
【図１０】
2007141794.tif 000012
【図１１】
2007141794.tif 000013
【図１２】
2007141794.tif 000014
【図１３】
2007141794.tif 000015
【図１４】
2007141794.tif 000016